(57)【特許請求の範囲】
【請求項１】
毛髪を挟持可能なヘアーアイロンであって、
本体と蓋とを含む第１筐体と、
前記第１筐体に対して開閉可能に連結され、本体と蓋とを含む第２筐体と、
前記第１筐体と前記第２筐体のうちの少なくとも一方の筐体に設けられ、超音波を発生させる超音波発生部と、
前記第１筐体及び前記第２筐体のうちの、少なくとも前記超音波発生部が設けられた筐体の前記本体と前記蓋の間に設けられた防水部と、
を備える、ヘアーアイロン。
【請求項２】
前記防水部は、前記本体の前記蓋に対向する対向面の縁に沿って配置された防水部材を有する、
請求項１に記載のヘアーアイロン。
【請求項３】
前記防水部材は、前記本体の前記対向面に前記縁に沿って連続形成された第１溝と、前記蓋の前記第１溝に対向する位置に連続形成された第２溝とに挟まれている、
請求項２に記載のヘアーアイロン。
【請求項４】
前記第１溝及び前記第２溝は、前記本体と前記蓋を係合させる複数の係合部を囲むように形成されている、
請求項３に記載のヘアーアイロン。
【請求項５】
前記防水部材の周囲に設けられ、前記本体と前記蓋を接着させる接着材を更に備える、
請求項３又は４に記載のヘアーアイロン。
【請求項６】
前記超音波発生部が、前記第１筐体と前記第２筐体に挟持された毛髪に付着しているトリートメント剤の粒子を細かくして該トリートメント剤の前記毛髪への浸透を促進させるように、超音波を発生させる、
請求項１から５のいずれか１項に記載のヘアーアイロン。
【請求項７】
前記第１筐体と前記第２筐体のうちの一方の筐体に設けられた給電端子を更に備え、
前記給電端子は、前記ヘアーアイロンが給電台に装着された場合に、前記給電台から電力の供給を受ける、
請求項１から６のいずれか１項に記載のヘアーアイロン。
【請求項８】
前記第１筐体と前記第２筐体のうちの一方の筐体に前記超音波発生部が設けられており、
他方の筐体に設けられ、前記超音波発生部が発生した超音波を反響させる反響部を更に備える、
請求項１から７のいずれか１項に記載のヘアーアイロン。
【請求項９】
前記超音波発生部が前記超音波を発生させると、前記超音波の発生開始から所定時間、所定間隔で音を出力する音出力部を更に備える、
請求項１から８のいずれか１項に記載のヘアーアイロン。
【発明の詳細な説明】
【技術分野】
【０００１】
本発明は、一般家庭において利用されるヘアーアイロンに関するものである。
【背景技術】
【０００２】
ヘアーアイロンは、美容室等の専門店だけでなく、一般家庭にも広く普及しており、毛髪を矯正等するのに利用されている。
例えば、下記の特許文献１には、一対の挟持部に挟持された毛髪を加熱部で加熱して矯正するヘアーアイロンが開示されている。
【先行技術文献】
【特許文献】
【０００３】
【特許文献１】特開２０１３−５６０２３号公報
【発明の概要】
【発明が解決しようとする課題】
【０００４】
近年、自宅においても、美容室と同様に毛髪のトリートメントを実現したいとの要望がなされている。しかし、上記の特許文献１では、加熱によって毛髪の矯正を実現できても、毛髪の内部に栄養分等を補うことはできない。
【０００５】
また、毛髪のトリートメントについては、浴室等の保湿環境下で行うことで、効果が一層期待できる。このため、水のある場所でも適切に使用可能なヘアーアイロンの構造にすることが望ましい。
【０００６】
そこで、本発明は上述した点に鑑みてなされたものであり、一般家庭において容易かつ効果的に毛髪をトリートメント可能なヘアーアイロンを提供することを目的とする。
【課題を解決するための手段】
【０００７】
本発明の第１の態様においては、毛髪を挟持可能なヘアーアイロンであって、本体と蓋とを含む第１筐体と、前記第１筐体に対して開閉可能に連結され、本体と蓋とを含む第２筐体と、前記第１筐体と前記第２筐体のうちの少なくとも一方の筐体に設けられ、超音波を発生させる超音波発生部と、前記第１筐体及び前記第２筐体のうちの、少なくとも前記超音波発生部が設けられた筐体の前記本体と前記蓋の間に設けられた防水部と、を備えるヘアーアイロンを提供する。
【０００８】
また、前記防水部は、前記本体の前記蓋に対向する対向面の縁に沿って配置された防水部材を有することとしてもよい。
【０００９】
また、前記防水部材は、前記本体の前記対向面に前記縁に沿って連続形成された第１溝と、前記蓋の前記第１溝に対向する位置に連続形成された第２溝とに挟まれていることとしてもよい。
【００１０】
また、前記第１溝及び前記第２溝は、前記本体と前記蓋を係合させる複数の係合部を囲むように形成されていることとしてもよい。
【００１１】
また、前記ヘアーアイロンは、前記防水部材の周囲に設けられ、前記本体と前記蓋を接着させる接着材を更に備えることとしてもよい。
【００１２】
また、前記超音波発生部が、前記第１筐体と前記第２筐体に挟持された毛髪に付着しているトリートメント剤の粒子を細かくして該トリートメント剤の前記毛髪への浸透を促進させるように、超音波を発生させることとしてもよい。
【００１３】
また、前記ヘアーアイロンは、前記第１筐体と前記第２筐体の一方に設けられた給電端子を更に備え、前記給電端子は、前記ヘアーアイロンが給電台に装着された場合に、前記給電台から電力の供給を受けることとしてもよい。
【００１４】
また、前記ヘアーアイロンは、前記第１筐体と前記第２筐体のうちの一方の筐体に前記超音波発生部が設けられており、
他方の筐体に設けられ、前記超音波発生部が発生した超音波を反響させる反響部を更に備えることとしてもよい。
【００１５】
また、前記ヘアーアイロンは、前記超音波発生部が前記超音波を発生させると、前記超音波の発生開始から所定時間、所定間隔で音を出力する音出力部を更に備えることとしてもよい。
【発明の効果】
【００１６】
本発明によれば、一般家庭において容易かつ効果的に毛髪をトリートメント可能なヘアーアイロンを提供できるという効果を奏する。
【図面の簡単な説明】
【００１７】
【図１】本発明の一実施形態に係るヘアーアイロン１の構成の一例を示す斜視図である。
【図２】ヘアーアイロン１の正面図である。
【図３】上筐体２０の上本体２１と上蓋２２を分離した状態を示す図である。
【図４】下筐体１０の下本体１１と下蓋１２を分離した状態を示す図である。
【図５】ヘアーアイロン１の充電スタンド１００による充電状態を示す図である。
【図６】防水部７０の構成の一例を説明するための図である。
【図７】防水部材７１の構成の一例を示す図である。
【図８】ヘアーアイロン１の使用方法を説明するためのフローチャートである。
【発明を実施するための形態】
【００１８】
＜ヘアーアイロンの外観構成＞
図１及び図２を参照しながら、本発明の一実施形態に係るヘアーアイロン１の外観構成について説明する。
図１は、一実施形態に係るヘアーアイロン１の構成の一例を示す斜視図である。図２は、ヘアーアイロン１の正面図である。
【００１９】
本実施形態に係るヘアーアイロン１は、一般家庭の浴室等において使用されるものであり、一対の筐体で毛髪（以下、単に髪と呼ぶ）を挟持可能なアイロンである。ヘアーアイロン１は、超音波を発生させる機能を有する。例えば、ヘアーアイロン１は、トリートメント剤が付着した髪を挟み込み、発生させた超音波によりトリートメント剤の粒子を細かくして髪の内部に浸透させる。具体的には、超音波が、トリートメント剤の粒子を砕いて細かくする。
【００２０】
トリートメント剤は、例えばアミノ酸系エモリエントオイルを配合したものを含む。このようなトリートメント剤は、髪の内部に浸透して、髪の内部のダメージを内側から補修する機能を有する。また、トリートメント剤は、髪にハリ、ツヤ、コシを与える機能も有する。
【００２１】
なお、ヘアーアイロン１は、パーマ剤が付着した髪を挟んだ状態で、超音波を発生させてもよい。かかる場合には、超音波が、パーマ剤の粒子を細かくして髪の内部に浸透させることになる。これにより、パーマ剤の効力（縮毛の矯正等）を発揮させやすくなる。
【００２２】
ヘアーアイロン１は、図１及び図２に示すように、下筐体１０と、上筐体２０と、ヒンジ３０と、超音波発生部４０と、反響板５０と、給電端子６０と、電源スイッチ６５とを有する。ヘアーアイロン１は、下筐体１０と上筐体２０との間に髪がある際に下筐体１０と上筐体２０を閉じることで、髪を挟み込む。本実施形態では、下筐体１０が第１筐体に該当し、上筐体２０が第２筐体に該当する。
【００２３】
上筐体２０は、対向する下筐体１０と共に対を成す筐体である。上筐体２０は、樹脂製である。上筐体２０は、図２に示すように、本体（以下、上本体と呼ぶ）２１と、蓋（以下、上蓋と呼ぶ）２２と、把持部２３とを有する。
【００２４】
図３は、上筐体２０の上本体２１と上蓋２２を分離した状態を示す図である。
上筐体２０は、図３に示すように内部に基板２５及び振動素子４２を収容する。基板２５には、電線８０が接続されている。振動素子４２は、詳細は後述するが、振動することで超音波を発生させる機能を有する。
【００２５】
上蓋２２は、上本体２１を覆う。上蓋２２は、上本体２１に例えばネジで固定されている。上蓋２２及び上本体２１には、それぞれ縁に沿って凹んだ蓋溝２２ａ（図６）と本体溝２１ａ（図６）が形成されている。蓋溝２２ａの内側には、上本体２１と係合可能なフック２４が複数設けられている。フック２４は、上蓋２２を上本体２１に対して位置決めする機能を有する。フック２４は、上蓋２２の代わりに、上本体２１の本体溝２１ａの内側に設けられていてもよい。上蓋２２の縁には、後述する防水部材７１が設けられている。
【００２６】
把持部２３は、ユーザがヘアーアイロン１を使用する際に手で把持する部分である。把持部２３は、図１に示すように長手方向の一端側に位置しており、把持部２３以外の部分に比べて厚くなっている。
【００２７】
下筐体１０は、上筐体２０に対して開閉可能に連結されている。下筐体１０は、樹脂製であり、上筐体２０と対称な形状となっている。下筐体１０は、図２に示すように、本体（以下、下本体と呼ぶ）１１と、蓋（以下、下蓋と呼ぶ）１２と、把持部１３とを有する。
【００２８】
図４は、下筐体１０の下本体１１と下蓋１２を分離した状態を示す図である。
下本体１１は、図４に示すように内部にバッテリー１５を収容する。バッテリー１５は、充電可能な二次電池である。下蓋１２の縁には、防水部材７１が設けられている。なお、下筐体１０の防水部材７１は、上筐体２０の防水部材７１と同一形状である。
【００２９】
下蓋１２は、下本体１１を覆う。下蓋１２は、下本体１１に例えばネジで固定されている。下蓋１２及び下本体１１にも、上筐体２０と同様に、それぞれ縁に沿って凹んだ蓋溝と本体溝が形成されている。蓋溝の内側には、下本体１１と係合可能なフック１４が複数設けられている。
【００３０】
把持部１３は、上筐体２０の把持部２３と同様に、ユーザがヘアーアイロン１を使用する際に手で把持する部分である。
【００３１】
ヒンジ３０は、下筐体１０と上筐体２０とを開閉可能に連結する連結部である。具体的には、ヒンジ３０は、下筐体１０の長手方向の一端側と上筐体２０の長手方向の一端側とを連結している連結軸を有する。下筐体１０及び上筐体２０は、連結軸を中心に回動可能である。
【００３２】
超音波発生部４０は、超音波を発生させる。超音波発生部４０は、上筐体２０の長手方向の他端側に設けられている。超音波発生部４０が、下筐体１０と上筐体２０に挟持されたトリートメント剤が付着した髪へ超音波を発生させることで、トリートメント剤の成分を髪の内部に浸透させる。具体的には、超音波の振動によって、トリートメント剤の粒子を細かくして髪の内部に浸透する。
【００３３】
超音波を髪に作用させた場合には、トリートメント剤の成分の浸透率が非常に高くなる。また、浸透後の髪の手触りが良くなるだけでなく、髪のハリ、コシ、保湿の点でも優れている。さらに、超音波の場合には、髪のキューティクル（表面の組織）を広げる必要がないので、髪への負担を抑制できる。さらに、超音波によるクリーニング効果で、浸透の妨げとなる不純物を髪から取り除きやすくなり、トリートメント剤を髪の内部に一層浸透させやすくなる。
この結果、本実施形態に係るヘアーアイロン１によれば、一般家庭においても、ヘアーサロン等の業務用設備のある専門店と同等のヘアーケアを行うことが可能となる。
【００３４】
超音波発生部４０は、パネル４１と、振動素子４２を有する。
パネル４１及び振動素子４２は、図３に示すように電線８０で基板２５と接続されている。パネル４１は、上蓋２２に嵌め込まれている。パネル４１の周囲には接着材が塗布されており、防水性を確保している。振動素子４２は、パネル４１の裏側に接触するように、上筐体２０内に設けられている。振動素子４２が振動することで、超音波が発生する。振動素子４２は、例えば毎秒１００万回振動する。
【００３５】
ヘアーアイロン１は、超音波発生部４０が超音波を発生させると、音を出力する音出力部を有してもよい。音出力部は、例えば上筐体２０の基板２５に設けられており、超音波の発生開始から所定時間、所定間隔で音を出力する。具体的には、音出力部は、１秒間隔で１０秒間だけ音を出力する。かかる場合には、ユーザは、音出力部が出力している音を聞くことで、超音波が発生していることを容易に把握できると共に、ヘアーアイロン１の使用時間も容易に把握できる。
また、１０秒後に音の出力が停止することで、ユーザは、使用時間が長くなっていることを把握できるので、電源をオフにして電力消費を抑制できる。特に、本実施形態のようにコードレスタイプのヘアーアイロン１においては、使用中にバッテリー１５の残量が枯渇することを有効に抑制できる。
【００３６】
反響板５０は、超音波発生部４０が発生した超音波を反響させる反響部の機能を有する。反響板５０は、金属製の矩形状の板である。反響板５０は、下筐体１０の長手方向の他端側に、超音波発生部４０に対向するように設けられている。すなわち、反響板５０は、下筐体１０の超音波発生部４０に対向する対向面に、嵌め込まれている。反響板５０は、例えば超音波発生部４０が発生した超音波によって振動しながら、超音波を反響させる。また、反響板５０の周囲には接着材が塗布されており、防水性を確保している。
【００３７】
本実施形態では、反響板５０を設けることで、反響板５０で反響された超音波が再度髪に向かう。このため、髪に付着したトリートメント剤の髪への浸透を促進させることが可能となる。
【００３８】
給電端子６０は、バッテリーを充電するための端子である。給電端子６０は、下筐体１０の長手方向の一端部に設けられている。給電端子６０は、外部に露出するように設けられている。ヘアーアイロン１は、電源ケーブルを有しておらず、給電端子６０によってコードレスで充電を行うことが可能である。
【００３９】
図５は、ヘアーアイロン１の充電スタンド１００による充電状態を示す図である。
給電端子６０は、図５に示すようにヘアーアイロン１が給電台である充電スタンド１００に装着された場合に、充電スタンド１００から電力の供給を受ける。これにより、電源コンセントにケーブルを接続した状態でヘアーアイロンを使用する必要が無くなり、ユーザが電源コンセントから離れた好きな場所（例えば浴室）でヘアーアイロン１を使用することができる。
【００４０】
本実施形態では、ヘアーアイロン１は、従来のヘアーアイロンとは異なり髪を加熱するヒータを有しない。そして、ヘアーアイロン１の超音波発生部４０は、ヒータに比べて消費電力が小さいため、バッテリーを小型化しやすく、充電する頻度も低減できる。この結果、利便性の高いヘアーアイロン１を実現できる。
【００４１】
電源スイッチ６５は、ヘアーアイロン１の電源のオン・オフを切り替えるためのスイッチである。ユーザが電源スイッチ６５を押下して電源をオンすると、超音波発生部４０が超音波を発生させる。具体的には、ユーザが、まず下筐体１０と上筐体２０を開いた状態で電源スイッチ６５を押下して電源をオンした後に、下筐体１０と上筐体２０を閉じると、超音波発生部４０が超音波を発生させる。なお、電源オン状態でユーザが電源スイッチ６５を押下すると、電源がオフとなり、超音波の発生も終了する。
【００４２】
また、ヘアーアイロン１は、超音波発生部４０が超音波を発生すると、光を発する発光部を有してもよい。発光部は、例えば青色の光を発する。発光部は、ヘアーアイロン１の電源がオンすると弱い光を発し、その後に下筐体１０と上筐体２０が閉じると強い光を発する。発光部は、反響板５０の裏側に配置されており、反響板５０の両側には、発光部が発した光を透過させる透過部材（図１に示す透過部材５２）が設けられている。これにより、ユーザは、発光部が発した光を認識することで、超音波が発生していることを容易に把握できる。
【００４３】
なお、上記では、超音波発生部４０が上筐体２０に設けられていることとしたが、これに限定されず、下筐体１０に設けられていてもよい。すなわち、超音波発生部４０は、下筐体１０と上筐体２０のいずれか一方に設けられる。超音波発生部４０が下筐体１０に設けられている場合には、反響板５０は上筐体２０に設けられる。ただし、これに限定されず、反響板５０を設けなくてもよい。
【００４４】
また、上記では、給電端子６０が下筐体１０に設けられていることとしたが、これに限定されない。例えば、バッテリー１５が上筐体２０の内部に設けられている場合には、給電端子６０も上筐体２０に設けられる。
【００４５】
＜防水部の詳細構成＞
ヘアーアイロン１は、浴室で使用されることを想定されている。このため、ヘアーアイロン１は、下筐体１０及び上筐体２０の内部に水が浸入することを防ぐために、下筐体１０及び上筐体２０にそれぞれ防水部７０を有する。
以下では、超音波発生部４０が設けられた上筐体２０の防水部７０を例に挙げて、防水部７０の詳細構成について説明する。
【００４６】
図６は、防水部７０の構成の一例を説明するための図である。図７は、防水部材７１の構成の一例を示す図である。
【００４７】
防水部７０は、上筐体２０の上本体２１と上蓋２２の間に設けられている。防水部７０は、上本体２１と上蓋２２の間から水が上筐体２０の内部に浸入することを防ぐ。防水部７０は、図６に示すように、防水部材７１と、接着材７２とを有する。
【００４８】
防水部材７１は、上本体２１の上蓋２２に対向する対向面の縁（別言すれば、上蓋２２の上本体２１に対向する対向面の縁）に沿って配置されている。具体的には、防水部材７１は、上蓋２２の上本体２１に対して位置決めする複数のフック２４を囲むように配置されている。
【００４９】
防水部材７１は、例えば、耐水性に優れたシリコン製のガスケットである。防水部材７１は、これに限定されず、任意の材料から成るシール部材であってもよい。防水部材７１は、上蓋２２が上本体２１に固定されている際に上本体２１及び上蓋２２によって押圧されることで、上本体２１と上蓋２２の間を密閉している。
【００５０】
防水部材７１は、図６に示すように、上本体２１の縁に沿って連続形成された本体溝２１ａと、上蓋２２の本体溝２１ａに対向する位置に連続形成された蓋溝２２ａとに挟まれている。これにより、防水部材７１の厚みに起因して上本体２１と上蓋２２との間に隙間が生じることを抑制できる。特に、蓋溝２２ａに内側に位置する複数のフック２４が上本体２１と係合することで蓋溝２２ａが本体溝２１ａに対して正確に位置決めされるので、防水部材７１が本体溝２１ａと蓋溝２２ａとに適切に挟まれる。なお、本実施形態では、本体溝２１ａが第１溝に該当し、蓋溝２２ａが第２溝に該当する。
【００５１】
防水部材７１は、図７に示すように中央に矩形の開口７１ａが形成されたロ字状の形状を成している。防水部材７１は、図４に示すように上本体２１内に配置された基板２５及び振動素子４２を囲んでいる。これにより、防水部材７１によって、基板２５及び振動素子４２が水に触れることを防止できる。
【００５２】
防水部材７１は、上本体２１又は上蓋２２に予め固定されていてもよい。例えば、防水部材７１は、上本体２１と一体成形されていてもよい。かかる場合には、上筐体２０を組み立てる際に防水部材７１を取り付ける作業が不要となるので、上筐体２０の組立性が向上する。
【００５３】
接着材７２は、例えば上本体２１と上蓋２２を接着させる接着剤である。接着材７２は、防水部材７１の周囲、具体的には防水部材７１の両側に、防水部材７１に隣接するように設けられている。これにより、防水部材７１及び接着材７２が、二重で防水機能を果たすため、防水効果が一層有効に奏される。
【００５４】
上記では、上筐体２０の防水部７０の構成について説明したが、下筐体１０の防水部７０も同様の構成を有する。すなわち、下筐体１０の防水部７０も、防水部材７１及び接着材７２を有する。そして、下筐体１０の防水部材７１も、下本体１１の本体溝と下蓋１２の蓋溝とに挟まれている。
【００５５】
また、前述したように、下筐体１０と上筐体２０の間には電線８０（図３及び図４参照）が配線されており、下筐体１０及び上筐体２０には、それぞれ電線８０が通過可能な貫通穴が形成されている。本実施形態では、貫通穴の部分（具体的には、貫通穴において電線の周囲の部分）を接着材で塞いでいる。これにより、貫通穴からの水の浸入を防止している。
【００５６】
＜ヘアーアイロンの使用方法＞
上述した構成を有するヘアーアイロン１の使用方法の一例について、図８を参照しながら説明する。
図８は、ヘアーアイロン１の使用方法を説明するためのフローチャートである。
【００５７】
本フローチャートは、ユーザが浴室にヘアーアイロン１を持って入ったところから開始される。まず、ユーザは、頭の髪をシャンプーする（ステップＳ１０２）。髪が濡れることで、トリートメント剤が髪に浸透しやすくなる。
【００５８】
次に、ユーザは、濡れた髪にトリートメント剤を付着させる（ステップＳ１０４）。例えば、ユーザは、一又は複数のトリートメント剤を髪に噴霧したり塗布したりする。そして、ユーザは、トリートメント剤が付着した髪を例えば櫛でとかす。
【００５９】
次に、ユーザが、電源スイッチ６５を押下して電源をオンした（これに伴い、発光部が、弱い光を発する）後に、髪を挟む下筐体１０及び上筐体２０を閉じると、超音波発生部４０が超音波を発生させる（ステップＳ１０６）。これに伴い、音出力部は、１秒間隔で１０秒間、音を出力する。また、発光部は、弱い光に代えて、強い光を発する。
【００６０】
次に、ユーザは、トリートメント剤が付着した髪にヘアーアイロン１を掛ける（ステップＳ１０８）。すなわち、ユーザは、上筐体２０と下筐体１０で髪を挟んだ状態で、ヘアーアイロン１を移動させる。具体的には、ユーザは、髪の根元側から髪先側へ向けて、ヘアーアイロン１を移動させる。この際、発生した超音波の振動が、髪に付着したトリートメント剤に作用する。この結果、髪に付着したトリートメント剤の粒子が、細かくなって髪の内部に浸透する。
【００６１】
髪へのトリートメント剤の導入が終了すると、ユーザは、シャワー等で髪を洗い流す（ステップＳ１１０）。これにより、髪から余分なトリートメント成分が排除される。ヘアーアイロン１はシャワーの水で濡れることになるが、防水部７０を有するため、上筐体２０及び下筐体１０内に水が浸入する恐れがない。
【００６２】
＜本実施形態における効果＞
上述したように、本実施形態のヘアーアイロン１は、上筐体２０に設けられ超音波を発生させる超音波発生部４０と、下筐体１０（上筐体２０）の下本体１１（上本体２１）と下蓋１２（上蓋２２）の間に設けられた防水部７０とを有する。
かかる場合には、超音波発生部４０が発生させた超音波が髪に作用することで、短時間にトリートメント剤を髪に浸透させることができる。特に、浴室で超音波を発生させることで、トリートメント剤の髪への浸透を促進させることができる。また、防水部７０を設けることで、ヘアーアイロン１を浴室で使用しても、ヘアーアイロン１の内部に水が浸入することを防止できる。従って、ヘアーアイロン１によれば、一般家庭において容易かつ効果的に髪をトリートメントすることが可能となる。
【００６３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００６４】
なお、上記では、超音波発生部４０が、下筐体１０と上筐体２０のうちの上筐体２０に設けられていることとしたが、これに限定されない。例えば、超音波発生部４０は、下筐体１０及び上筐体２０のそれぞれに設けられていてもよい。
【符号の説明】
【００６５】
１    ヘアーアイロン
１０    下筐体
１１    下本体
１２    下蓋
２０    上筐体
２１    上本体
２１ａ    本体溝
２２    上蓋
２２ａ    蓋溝
４０    超音波発生部
５０    反響板
６０    給電端子
７０    防水部
７１    防水部材
７２    接着材
【図１】
0006527371.tif 000002
【図２】
0006527371.tif 000003
【図３】
0006527371.tif 000004
【図４】
0006527371.tif 000005
【図５】
0006527371.tif 000006
【図６】
0006527371.tif 000007
【図７】
0006527371.tif 000008
【図８】
0006527371.tif 000009